(57)【要約】【課題】  ADSLの獲得レートごとに適切なシェーピング設定を行うことが可能なセルシェーピング装置の提供。【解決手段】  データベース3 にリンク情報とＡＴＭセルのシェーピング設定データとが関連付けて記録されている。リンク情報検出部1 にて検出されたリンク情報に基づき選択部4 にてデータベース3 に記録された情報から所望のシェーピング設定データが選択され、設定部５にてそのシェーピング設定データがシェーピング部６に設定され、シェーピング部６にてシェーピングが実行される。【選択図】  図１                                                      
2005033626.tif 000002
【特許請求の範囲】
【請求項１】
回線をリンクアップした後に得られるリンク情報に基づき、セルのシェーピング設定を行うシェーピング制御手段を含むことを特徴とするセルシェーピング装置。
【請求項２】
前記リンク情報はリンクアップした場合の獲得レ−ト情報であり、前記シェーピング制御手段は前記獲得レ−トにて送信可能な単位時間あたりのセル数をシェーピング設定デ−タとして設定することを特徴とする請求項１記載のセルシェーピング装置。
【請求項３】
前記シェーピング制御手段は、回線をリンクアップした後に前記リンク情報を検出するリンク情報検出部と、前記リンク情報検出部で検出されたリンク情報に基づきシェーピング設定データを設定する設定部とを含むことを特徴とする請求項１または２記載のセルシェーピング装置。
【請求項４】
前記設定部により設定されたシェーピング設定データに基づきシェーピングを実行するシェーピング部を含むことを特徴とする請求項３記載のセルシェーピング装置。
【請求項５】
入力したセルのデータフォーマットを変換する信号変換部を含み、前記リンク情報検出部は前記信号変換部から前記リンク情報を検出することを特徴とする請求項３または４記載のセルシェーピング装置。
【請求項６】
前記リンク情報と前記シェーピング設定データとが関連付けて格納されるデータベースと、前記リンク情報検出部で検出されたリンク情報と対応するシェーピング設定データを前記データベースから選択する選択部とを含
み、前記設定部は前記選択部で選択されたシェーピング設定データを設定することを特徴とする請求項３から５いずれかに記載のセルシェーピング装置。
【請求項７】
前回リンクアップしたときのリンク情報を記憶するメモリと、前記リンク情報検出部で検出した現在のリンク情報と前記メモリに記憶された前回リンクアップしたときのリンク情報とを比較する比較部とを含み、前記比較部での比較結果が同一であった場合、前記シェーピング設定データの設定は実行されないことを特徴とする請求項３から６いずれかに記載のセルシェーピング装置。
【請求項８】
回線をリンクアップした後に得られるリンク情報に基づき、セルのシェーピング設定を行うシェーピング制御手段を含むことを特徴とする通信システム。
【請求項９】
前記リンク情報はリンクアップした場合の獲得レ−ト情報であり、前記シェーピング制御手段は前記獲得レ−トにて送信可能な単位時間あたりのセル数をシェーピング設定デ−タとして設定することを特徴とする請求項８記載の通信システム。
【請求項１０】
前記シェーピング制御手段は、回線をリンクアップした後に前記リンク情報を検出するリンク情報検出部と、前記リンク情報検出部で検出されたリンク情報に基づきシェーピング設定データを設定する設定部とを含むことを特徴とする請求項８または９記載の通信システム。
【請求項１１】
前記設定部により設定されたシェーピング設定データに基づきシェーピングを実行するシェーピング部を含むことを特徴とする請求項１０記載の通信システム。
【請求項１２】
入力したセルのデータフォーマットを変換する信号変換部を含み、前記リンク情報検出部は前記信号変換部から前記リンク情報を検出することを特徴とする請求項１０または１１記載の通信システム。
【請求項１３】
前記リンク情報と前記シェーピング設定データとが関連付けて格納されるデータベースと、前記リンク情報検出部で検出されたリンク情報と対応するシェーピング設定データを前記データベースから選択する選択部とを含むことを特徴とする請求項１０から１２いずれかに記載の通信システム。
【請求項１４】
前回リンクアップしたときのリンク情報を記憶するメモリと、前記リンク情報検出部で検出した現在のリンク情報と前記メモリに記憶された前回リンクアップしたときのリンク情報とを比較する比較部とを含み、前記比較部での比較結果が同一であった場合、前記シェーピング設定データの設定は実行されないことを特徴とする請求項１０から１３いずれかに記載の通信システム。
【請求項１５】
前記信号変換部と接続されるモデムを含むことを特徴とする請求項１２から１４いずれかに記載の通信システム。
【請求項１６】
前記シェーピング部と接続される通信網を含むことを特徴とする請求項１１から１５いずれかに記載の通信システム。
【請求項１７】
回線をリンクアップした後に得られるリンク情報に基づき、セルのシェーピング設定を行うシェーピング制御ステップを含むことを特徴とするシェーピング方法。
【請求項１８】
前記リンク情報はリンクアップした場合の獲得レ−ト情報であり、前記シェーピング制御ステップは前記獲得レ−トにて送信可能な単位時間あたりのセル数をシェーピング設定デ−タとして設定することを特徴とする請求項１７記載のシェーピング方法。
【請求項１９】
前記シェーピング制御ステップは、回線をリンクアップした後に前記リンク情報を検出するリンク情報検出ステップと、前記リンク情報検出ステップで検出されたリンク情報に基づきシェーピング設定データを設定する設定ステップとを含むことを特徴とする請求項１７または１８記載のシェーピング方法。
【請求項２０】
前記設定ステップにより設定されたシェーピング設定データに基づきシェーピングを実行するシェーピングステップを含むことを特徴とする請求項１９記載のシェーピング方法。
【請求項２１】
入力したセルのデータフォーマットを変換する信号変換部を含み、前記リンク情報検出ステップは前記信号変換部から前記リンク情報を検出することを特徴とする請求項１９または２０記載のシェーピング方法。
【請求項２２】
前記リンク情報と前記シェーピング設定データとが関連付けて格納されるデータベースと、前記リンク情報検出ステップで検出されたリンク情報と対応するシェーピング設定データを前記データベースから選択する選択ステップとを含み、前記設定ステップは前記選択ステップで選択されたシェーピング設定データを設定することを特徴とする請求項１９から２１いずれかに記載のシェーピング方法。
【請求項２３】
前回リンクアップしたときのリンク情報を記憶するメモリと、前記リンク情報検出部で検出した現在のリンク情報と前記メモリに記憶された前回リンクアップしたときのリンク情報とを比較する比較ステップとを含み、前記比較ステップでの比較結果が同一であった場合、前記シェーピング設定データの設定は実行されないことを特徴とする請求項１９から２２いずれかに記載のシェーピング方法。
【請求項２４】
前記セルが通信網からモデム方向（下り方向）に転送されることを特徴とする請求項１から７いずれかに記載のセルシェーピング装置。
【請求項２５】
前記セルが通信網からモデム方向（下り方向）に転送されることを特徴とする請求項８から１６いずれかに記載の通信システム。
【請求項２６】
前記セルが通信網からモデム方向（下り方向）に転送されることを特徴とする請求項１７から２３いずれかに記載のシェーピング方法。
【請求項２７】
前記セルがモデムから通信網方向（上り方向）に転送されることを特徴とする請求項１から７いずれかに記載のセルシェーピング装置。
【請求項２８】
前記セルがモデムから通信網方向（上り方向）に転送されることを特徴とする請求項８から１６いずれかに記載の通信システム。
【請求項２９】
前記セルがモデムから通信網方向（上り方向）に転送されることを特徴とする請求項１７から２３いずれかに記載のシェーピング方法。
【請求項３０】
前記セルはATM セルであり、かつ前記リンクアップする回線はADSLであることを特徴とする請求項１から７いずれかに記載のセルシェーピング装置。
【請求項３１】
前記セルはATM セルであり、かつ前記リンクアップする回線はADSLであることを特徴とする請求項８から１６いずれかに記載の通信システム。
【請求項３２】
前記セルはATM セルであり、かつ前記リンクアップする回線はADSLであることを特徴とする請求項１７から２３いずれかに記載のシェーピング方法。
【発明の詳細な説明】
【技術分野】
【０００１】
本発明は、セルシェーピング装置及びその装置を含む通信システムならびにシェーピング方法に関し、特にADSL(Asymmetric Digital Subscriber Line)におけるATM(Asynchronous Transfer Mode) セルのセルシェーピング装置及びその装置を含む通信システムならびにシェーピング方法に関する。
【背景技術】
【０００２】
ADSLはベストエフォート型のサービスであり、リンクアップの度に獲得するレートが大きく変動することがある。ベストエフォート型のサービスとはネットワークにおいてあるサービスのタイプ（たとえば、伝送帯域）が保証されない通信形態のことを意味し、ネットワーク網全体としては最善を尽くすように努力をするがエンド・ トウ・エンドで見るとサービスの保証がなく最悪の場合はまったくサービスが受けられないこともある。ADSLの場合、一例として下り最大速度が12Mbpsのサービスは、最高で12Mbpsの速度が出るサービスだが、環境などの影響でそれ以下になる場合もあり、常に12Mbpsのスピードが出るとは保証できない。
【０００３】
例えば、日本で広く導入されているISDN(Integrated Services Digital Network) では、伝送方式に時分割多重方式が採用されており、ADSLは伝送特性上ISDNから発生するノイズに対して非常に劣化しやすいという性質を持つ。そのため、ISDNの使用状態によってはノイズ条件により、獲得レートが向上または劣化することがある。また、現在、日本のADSLでは12Mbps、8Mbps 、1.5Mbps と様々なサービスがありサービスの種別、接続モードにより実際の獲得するレートは大きく異なる。
【０００４】
本方式に適用されるADSL装置ではデータフォーマットをATM のセルからADSLのスーパーフレームに変換する機能を持っているが、ADSLの獲得レートよりも多いデータをATM のセルにより流した場合にはADSLレイヤにて全てのデータを流す許容量がないため、ATM セルの廃棄が起こる。ATM では送付するためのデータを細かいセルという53バイトのデータに分割して送信するため、途中のセルが廃棄されてしまうと元のデータに復元することができなくなり、廃棄されたセルの再送が起こるため、ADSLの獲得レートは高いにもかかわらずデータのスループットは遅くなるという現象が起こる。
【０００５】
よって、実際の運用ではATM セルの廃棄が起こらないようにセルの転送間隔を調整し、ATM セルが溢れないようにする必要があるが、このときに使用される技術がATM セルシェーピングである。
【０００６】
ここでこのATM セルシェーピングを用いた従来のセルシェーピング装置の一例について説明する。図７は従来のセルシェーピング装置の一例の構成図である。同図を参照すると、セルシェーピング装置はATM シェ−ピング装置を構成するシェーピング部６と、ADSL通信装置を構成するADSL信号変換部８およびリンク情報検出部１と、設定部５とから構成される。
【０００７】
なお、同図には便宜上、宅内に設けられるADSLモデム９と、ATM 網７とが含まれている。ATM 網７はシェーピング部６と、ADSLモデム９はADSL信号変換部８とそれぞれ接続される。
【０００８】
設定部５は所定のシェーピング値をシェーピング部６に設定する。リンク情報検出部１はADSL信号変換部８からリンク情報、すなわち獲得レート情報を検出する。
【０００９】
同図に示すように、従来のATM シェーピング装置は設定部５によるシェーピング設定と、リンク情報検出部１によるリンク情報の検出とは別個に行われていた。従って、ADSLのサービスごとに一定のシェーピング値を設定部５がシェーピング部６に設定するのが一般的であった。
【００１０】
このとき設定部５にてシェーピング部６に対し、シェーピングの値をADSLの獲得レートよりも少なく設定してしまうとADSLの獲得レート帯域全てをデータ転送に使用することができず実データのスループットは遅くなる。また逆の場合にも前述のようにセルの廃棄が起こるため実データのスループットは遅くなる。
【００１１】
一方、シェーピング値の制御を可能とする技術の一例が開示されている。この技術はATM セルの流量測定結果に基づいてシェーピング帯域を決定するというものである（特許文献１参照）。
【００１２】
しかし、特許文献１記載の技術はATM セルの流量に基づいてシェーピング帯域を決定するものであり、一例として流量がゼロの場合はシェーピング帯域の決定ができなくなる。
【００１３】
これに対し、本発明はリンクアップしたときの獲得レートに基づいてシェーピング値を決定するものであり、流量の如何にかかわらずシェーピング値の決定が可能である。
【００１４】
従って、特許文献１記載の技術はその構成、作用、効果のいずれもが本発明と全く相違し、このような別発明から本発明を想到することは困難である。
【特許文献１】特開２００３−８６３４号公報（段落００１９，００２１および図２）
【発明の開示】
【発明が解決しようとする課題】
【００１５】
従来、ADSLのサービスごとに一定のシェーピング値を設定部５がシェーピング部６に設定していたため、獲得レートが変動した場合は設定部５にて新たなシェーピング値に設定を変更する必要が生じ、煩雑であった。
そこで、本発明の目的はADSLの獲得レートごとに適切なシェーピング設定を行うことが可能なセルシェーピング装置及びそのシェーピング方法ならびにその装置を含む通信システムを提供することにある。
【課題を解決するための手段】
【００１６】
前記課題を解決するために本発明によるセルシェーピング装置は、回線をリンクアップした後に得られるリンク情報に基づき、セルのシェーピング設定を行うシェーピング制御手段を含むことを特徴とする。
【００１７】
また、本発明による通信システムは、回線をリンクアップした後に得られるリンク情報に基づき、セルのシェーピング設定を行うシェーピング制御手段を含むことを特徴とする。
【００１８】
また、本発明によるシェーピング方法は、回線をリンクアップした後に得られるリンク情報に基づき、セルのシェーピング設定を行うシェーピング制御ステップを含むことを特徴とする。
【００１９】
すなわち、本発明はADSLラインのリンクアップ後、検出されたデータレート情報を元に最適なATM シェーピング設定を自動的に選択、設定することにより効率的にADSLの獲得レートに応じたスループットを提供する方式である。
【００２０】
図１においてリンク情報検出部1 にて検出されたリンク情報はリンク情報送信部２を介して選択部4 においてデータベース3 の情報と比較され、データベースの中から最適なシェーピング設定を選択し、設定部５を介してシェーピング部６にてその設定を実行することにより、ADSL回線での高いスループットを提供することが可能となる。
【発明の効果】
【００２１】
以上説明したように本発明は、回線をリンクアップした後に得られるリンク情報に基づき、セルのシェーピング設定を行うシェーピング制御手段およびシェーピング制御ステップを含むため、ADSLの獲得レートごとに適切なシェーピング設定を行うことが可能となる。
【００２２】
具体的に説明すると、第一の効果はADSLの獲得レートが変化した際に、ADSL回線でのエラーが無い限り適切なシェーピングを実施することでATM セルの廃棄が行われることなく高いスループットを提供することができることである。
【００２３】
第二の効果は自動的にシェーピング設定が行われることにより、手作業によるミスを回避することができる。また、獲得レートにあわせるという煩雑な手作業を省くことができることである。
【００２４】
第三の効果は既存のADSL通信に影響をもたらすことなくバージョンアップなど容易な手段で適用できることである。
【発明を実施するための最良の形態】
【００２５】
以下、本発明の実施例について添付図面を参照しながら説明する。
【実施例１】
【００２６】
まず、第１実施例について説明する。図１は本発明に係るセルシェーピング装置を含む通信システムの第１実施例の構成図である。
【００２７】
同図を参照すると、通信システムはATM 網７と、ATM シェーピング装置２１と、ADSL監視制御装置２２と、ADSL通信装置（局内装置）２３と、ADSLモデム（宅内モデム）９とを含んで構成される。このうち、セルシェーピング装置を構成するのはATM シェーピング装置２１と、ADSL監視制御装置２２と、ADSL通信装置２３である。
【００２８】
ATM シェーピング装置２１はATM 網７とADSL監視制御装置２２とに接続され、ADSL通信装置（局内装置）２３はATM シェーピング装置２１とADSL監視制御装置２２とに接続され、ADSLモデム９はADSL通信装置（局内装置）２３と接続される。
【００２９】
ATM シェーピング装置２１はシェーピング部６を含んでおり、シェーピング部６は設定部５により設定されたシェーピング設定データに基づきシェーピングを実行する。
【００３０】
ADSL監視制御装置２２はデータベース３と、選択部４と、設定部５とを含んでいる。データベース３にはADSLのリンク情報とATM セルのシェーピング設定データとが関連付けされて格納されている。選択部４は後述するリンク情報送信部２から送信されるリンク情報に基づいてデータベース３から所望のシェーピング設定データを選択する。設定部５は選択部４で選択されたシェーピング設定データをシェーピング部６に設定する。
【００３１】
ADSL通信装置２３はリンク情報検出部１と、リンク情報送信部２と、ADSL信号変換部８とを含んで構成される。
【００３２】
ADSL信号変換部８はデータフォーマットをATM のセルからADSLのスーパーフレームに変換する。
【００３３】
リンク情報検出部１はADSL信号変換部８からADSLのリンクアップ情報（リンク情報）である獲得レートを検出する。
【００３４】
リンク情報送信部２はリンク情報検出部１で検出されたリンク情報を選択部４へ送信する。
【００３５】
次に、データベース３の構成について説明する。図２はデータベース３の一例の構成図である。同図を参照すると、リンク情報（単位：ｂｐｓ）とはリンクアップした場合の獲得レート情報、より具体的にはADSLリンク速度を意味し、シェーピング設定データとは単位時間あたりに送信可能なセル数( 単位：Cell/s) を意味する。データベース３にはリンク情報とシェーピング設定データとが関連付けされて１つまたは複数個格納されている。
【００３６】
シェーピング設定データはリンク情報から一義的に算出が可能である。一例として、リンク情報が５００ｋｂｐｓの場合、シェーピング設定データＳは、
Ｓ＝５００，０００（ｂｉｔ）／８（ｂｉｔ）／５３（ｂｙｔｅ）
で表される。なおＳの単位はCell/sである。
【００３７】
この計算を実行すると、リンク情報が５００ｋｂｐｓの場合、シェーピング設定データＳは１１７９Cell/ ｓとなる。この例が図２に示されている。
【００３８】
従って、任意のリンク情報に対応するシェーピング設定データＳの算出が可能で、これらを複数個データベース３に格納することが可能である。
【００３９】
次に、図1 および図３を用いて本発明に係るセルシェーピング装置の動作について説明する。図３は本発明に係るセルシェーピング装置の第１実施例の動作を示すフローチャートである。
【００４０】
ADSLモデム9 が接続されると、ADSL回線はリンクアップを試みる。ここでいうADSLのリンクアップとはADSL通信装置２３とADSLモデム９間の通信ネゴシエーション成立のことをいい、ADSLにてデータ通信に使用する周波数帯域が確保され、ADSLサービスが正常に行われる状態のことを言う。
【００４１】
リンク情報検出部1 はADSL回線の状態を検出しており、リンクアップが成立しない場合、ADSLの通信をすることができないため、本方式による自動ATM セルシェーピングは実行されない（ステップA1にてＮＯの場合）。
【００４２】
リンクアップが成立した場合（ステップA1にてＹＥＳの場合）、リンクアップ情報検出部1 はさらにADSL回線の獲得レート情報を検出する（ステップA2）。
【００４３】
検出されたリンクアップ情報はリンク情報送信部2 により選択部4 に通知される（ステップA3）。
【００４４】
選択部4 ではリンク情報送信部2 より通知されたリンク情報とデータベース3 にあらかじめ獲得レート別に記憶されたATM セルシェーピング用の設定データから、そのADSL回線に最適なATM セルのシェーピング設定データを選択する（ステップA4）。
【００４５】
選択されたシェーピング設定データは設定部5 によって、ATM セルのシェーピングを実行するシェーピング部6 に設定される( ステップA5) 。
【００４６】
ＡＤＳＬ回線のリンクが断とならなければ（ステップＡ６にてＮＯの場合）、現在のシェーピング設定が保持され、断となれば（ステップＡ６にてＹＥＳの場合）、ステップＡ１に戻る。
【００４７】
以上述べたようにシェーピング部6 にてATM セルのシェーピングが行われ、ATM 網７からADSLモデム９までの通信において最も適したスループットを実現することができる。
【実施例２】
【００４８】
次に、第２実施例について説明する。図４は本発明に係る通信システムの第２実施例の構成図である。同図において図１と同様の構成部分には同一番号を付し、その説明を省略する。
【００４９】
図1 の方式ではADSLの再リンクアップが起こるたびに自動ATM セルシェーピング設定が実施されてしまうため、同じ獲得レートにてリンクアップした場合にも同じ設定をもう一度実行してしまうという問題があった。
【００５０】
その問題を回避するため、図４のようにADSL通信装置２３にメモリ10と比較部11を追加した。図５を元に構成および動作を示す。図５は本発明に係るセルシェーピング装置の第２実施例の動作を示すフローチャートである。
【００５１】
初めにこの方式のスタート時にはメモリ１０の内容は初期化される（ステップB0）。
【００５２】
ADSLモデム9 が接続されると、ADSL回線はリンクアップを試みる（ステップA1）。リンク情報検出部1 はADSL回線の状態を検出しており、リンクアップが成立しない場合、ADSLの通信をすることができないため、本方式による自動ATM セルシェーピングは実行されない（ステップA1にてＮＯの場合）。
【００５３】
リンクアップが成立した場合（ステップA1にてＹＥＳの場合）、リンク情報検出部1 はADSL回線の獲得レート情報を検出する（A2）。
【００５４】
メモリ10は前回リンクアップしたときのリンク情報を記憶する機能を持ち、リンク情報検出部1 と比較部11に接続される。比較部11はメモリ１０に記憶されている前回のリンクアップ情報と、現在のリンクアップ情報を比較する機能を持っており、それぞれのリンクアップ情報を比較する（ステップB1）。
【００５５】
比較した結果、リンクアップ情報が同一で無かった場合には（ステップB2にてＹＥＳの場合）、メモリに現在のリンクアップ状態を保持し（ステップB ３）、リンク情報送信部2 にリンク情報を渡す。このことにより、第１実施例で述べたステップA3〜ステップA5の動作が実行され、自動シェーピング設定は実現される。
【００５６】
また、初めてリンクアップする場合には、ステップB0にてメモリの内容はクリアされているため、ステップB2におけるリンクアップ情報の比較結果は必ず「異なる」となり（ステップB2にてYES となり）、正常に自動シェーピングが実行される（ステップB ３、A3〜A5）。
【００５７】
比較部11で比較された結果が、リンクアップ情報が同一であった場合には（ステップＢ２にてＮＯの場合）、ステップA6の処理に移動し、シェーピング設定は実行されず、二重設定は回避できる。
【００５８】
ステップ６では、ADSL回線のリンクが断とならない限り、設定したシェーピングが実行され（ステップA ６にてNOの場合）、ADSL回線のリンクが断となると（（ステップA ６にてYES の場合）、ステップA1の処理に戻る。以降は前述の処理の繰り返しとなる。
【実施例３】
【００５９】
次に、第３実施例について説明する。第１実施例にて、ATM シェーピング装置２１はシェーピング部６を含み、ADSL監視制御装置２２はデータベース３と、選択部４と、設定部５とを含み、ADSL通信装置２３はリンク情報検出部１と、リンク情報送信部２と、ADSL信号変換部８とを含むと説明した( 図１参照) 。しかし、本発明はこの構成に限定されない。
【００６０】
変形実施例１：ADSL通信装置２３内にATM シェーピング装置２１とADSL監視制御装置２２とを含ませる構成が可能である。すなわち、ADSL通信装置２３はシェーピング部６と、データベース３と、選択部４と、設定部５と、リンク情報検出部１と、リンク情報送信部２と、ADSL信号変換部８とを含む構成が可能である。なお、シェーピング設定処理の内容は第１実施例で述べたのと同様であるため、その説明を省略する。
【００６１】
変形実施例２：ADSL通信装置２３内にATM シェーピング装置２１を含ませる構成が可能である。すなわち、ADSL通信装置２３はシェーピング部６と、リンク情報検出部１と、リンク情報送信部２と、ADSL信号変換部８とを含む構成が可能である。ADSL監視制御装置２２の構成は第１実施例と同様である。なお、シェーピング設定処理の内容は第１実施例で述べたのと同様であるため、その説明を省略する。
【００６２】
変形実施例３：ADSL監視制御装置２２内にATM シェーピング装置２１とADSL通信装置２３とを含ませる構成が可能である。すなわち、ADSL監視制御装置２２はシェーピング部６と、データベース３と、選択部４と、設定部５と、リンク情報検出部１と、リンク情報送信部２と、ADSL信号変換部８とを含む構成が可能である。なお、シェーピング設定処理の内容は第１実施例で述べたのと同様であるため、その説明を省略する。
【００６３】
図４に示す第２実施例についても、第３実施例に示す変形実施例の適用が可能である。
【００６４】
図６は本発明と従来例との効果の相違点を表示した図である。同図には、一例として加入者名１，２，３の３名が存在する場合を示している。加入者１は１．５Ｍｂｐｓの契約をしている。獲得レートは１．５Ｍｂｐｓであったとする。
【００６５】
ここで、前述したＩＳＤＮ等から発生するノイズによりレートが１．０Ｍｂｐｓに劣化したとする。このとき、従来例の場合は、１．０Ｍｂｐｓしか流れない回線に１．５Ｍｂｐｓのデータが流入してくるため、パケットの廃棄が生じ、全体としてスループットが低下し、通信速度が０．６Ｍｂｐｓ程度に劣化してしまう。
【００６６】
これに対し、本発明によればレートが１．０Ｍｂｐｓに劣化した場合でも、セルシェーピングの再設定が自動的に行われるため、１．０Ｍｂｐｓのレートが保持される。
【００６７】
同様に、加入者２（契約：８Ｍｂｐｓ）の場合、従来例では通信速度が４Ｍｂｐｓ程度に劣化し、加入者３（契約：１２Ｍｂｐｓ）の場合、従来例では通信速度が８Ｍｂｐｓ程度に劣化するが、本発明ではこのような劣化が生じることはなく、夫々６Ｍｂｐｓおよび１０Ｍｂｐｓのレートが保持される。
【産業上の利用可能性】
【００６８】
なお、第１〜第３実施例ではATM セルがATM 網７からシェーピング部６およびADSL信号変換部８を介してADSLモデム９方向（下り方向）に転送される場合のシェーピング設定処理について説明したが、これに限定されるものではなく、ATM セルがADSLモデム９からADSL信号変換部８およびシェーピング部６を介してATM 網７方向（上り方向）に転送される場合のシェーピング設定処理についても同様に説明することができる。
【００６９】
また、ATM セルに限定されるものではなく、その他のセルのシェーピング設定処理にも本発明の適用が可能である。
【図面の簡単な説明】
【００７０】
【図１】本発明に係るセルシェーピング装置を含む通信システムの第１実施例の構成図である。
【図２】データベース３の一例の構成図である
【図３】本発明に係るセルシェーピング装置の第１実施例の動作を示すフローチャートである。
【図４】本発明に係る通信システムの第２実施例の構成図である。
【図５】本発明に係るセルシェーピング装置の第２実施例の動作を示すフローチャートである。
【図６】本発明と従来例との効果の相違点を表示した図である。
【図７】従来のセルシェーピング装置の一例の構成図である。
【符号の説明】
【００７１】
１  リンク情報検出部
２  リンク情報送信部
３  データベース
４  選択部
５  設定部
６  シェーピング部
７  ATM 網
８  ADSL信号変換部
９  ADSLモデム
１０  メモリ
１１  比較部
２１  ATM シェーピング装置
２２  ADSL監視制御装置
２３  ADSL通信装置（局内装置）
【図１】
2005033626.tif 000003
【図２】
2005033626.tif 000004
【図３】
2005033626.tif 000005
【図４】
2005033626.tif 000006
【図５】
2005033626.tif 000007
【図６】
2005033626.tif 000008
【図７】
2005033626.tif 000009